(57)【要約】      （修正有）【課題】ファッション性を高めるインナーウェアを着用したとき、前開きアウターウェアの前身頃の縁（前見頃の合せ側）が開くのを防することができるアウターウェアとインナーウェアとの連結具を提供する。【解決手段】上衣状の本体部と、少なくとも本体部の襟及び前身頃の側縁に取付けた毛皮部とを備え、前開きのアウターウェアの下に着用し、毛皮部をアウターウェアの少なくとも襟と前身頃の側縁から外部に露出させて、そのアウターウェアを毛皮で飾るようにしたインナーウェアの前身頃の側縁に取付けたアウターウェアとの連結具であって、その連結具３０は、略平板状の基板３１と基板にバネ力を介して起伏自在に枢着された押さえ板３２とを備え、基板がインナーウェアの前身頃の側縁に取付けられて着用したアウターウェアの前身頃の側縁を、基板と押さえ板との間にバネ力をもって挟持する。【選択図】図３
0003138939.tif 000002
【実用新案登録請求の範囲】
【請求項１】
上衣状の本体部と、少なくとも本体部の襟及び前身頃の側縁に取付けた毛皮部とを備え、前開きのアウターウェアの下に着用し、前記毛皮部をアウターウェアの少なくとも襟と前身頃の側縁から外部に露出させて、そのアウターウェアを毛皮で飾るようにしたインナーウェアの前身頃の側縁に取付けたアウターウェアとの連結具であって、その連結具は、略平板状の基板と該基板にバネ力を介して起伏自在に枢着された押さえ板とを備え、前記基板がインナーウェアの前身頃の側縁に取付けられて着用したアウターウェアの前身頃の側縁を、基板と押さえ板との間にバネ力をもって挟持するようにしたことを特徴とするインナーウェアの連結具。
【請求項２】
押さえ板が自由端に摘み部を備え、基板が摘み部の端部に嵌り込むストップ部を備えている請求項１に記載のインナーウェアの連結具。
【考案の詳細な説明】
【技術分野】
【０００１】
本考案は、インナーウェアの連結具に係わり、さらに詳しくは、前開きのアウターウェアの下に着て、アウターウェアを毛皮付きアウターウェアのように装飾することができるインナーウェアを、アウターウェアに適切に結合することができる連結具の改良に関する。
【背景技術】
【０００２】
季節や場所などに応じて、手持ちのアウターウェアを豪華な衣装として活用することができ、又、気温の低い季節や地域にて防寒ウェアとして活用することもできるインナーウェアは本考案の考案者によってすでに提案されている（例えば特許文献１及び特許文献２を参照）。
【０００３】
このインナーウェアは、薄手生地により、ジャンパー状、ジャケット状、コート状などに形成した上衣状の本体部と、襟から裾にかけて本体部に取付けた毛皮部とを備え、前開きのアウターウェアの下に着用し、毛皮部をアウターウェアの襟から裾にかけて外部に露出させることにより、アウターウェアを毛皮付きのウェアのように見せるものである。
【０００４】
しかしながら、このインナーウェアは、前開きの上衣状のアウターウェアの下に着用するため、何らかの原因によって、前開きのアウターウェアが開いてしまい、インナーウェアにより付加したファッション性を損ねるおそれがある。とくに、冬物のアウターウェアの下に上記のインナーウェアを着用すると、着膨れ状態となり、前開きのアウターウェアはさらに開き易くなる。
【特許文献１】実用新案登録第３１２０５８６号
【特許文献２】実用新案登録第３１３０７４８号
【考案の開示】
【考案が解決しようとする課題】
【０００５】
そこで、本考案は、ファッション性を高めるインナーウェアを着用したとき、前開きアウターウェアの前身頃の縁（前見頃の合せ側）が開くのを防止することができるアウターウェアとインナーウェアとの連結具を提供することを、その課題とする。
【課題を解決するための手段】
【０００６】
上記課題を解決することを目的としてなされた本考案インナーウェアの連結具の構成は、上衣状の本体部と、少なくとも本体部の襟及び前身頃の側縁に取付けた毛皮部とを備え、前開きのアウターウェアの下に着用し、前記毛皮部をアウターウェアの少なくとも襟と前身頃の側縁から外部に露出させて、そのアウターウェアを毛皮で飾るようにしたインナーウェアの前身頃の側縁に取付けたアウターウェアとの連結具であって、その連結具は、略平板状の基板と該基板にバネ力を介して起伏自在に枢着された押さえ板とを備え、前記基板がインナーウェアの前身頃の側縁に取付けられて着用したアウターウェアの前身頃の側縁を、基板と押さえ板との間にバネ力をもって挟持するようにしたことを特徴とするものである。
【０００７】
本考案は、上記構成において、押さえ板が自由端に摘み部を備え、基板が摘み部の端部に嵌り込むストップ部を備えるようにしてもよい。
【考案の効果】
【０００８】
本考案で、インナーウェアにおける前見頃の側縁に略平板状の基板と該基板にバネ力を介して起伏自在に枢着された押さえ板とを備えた連結具を設け、該連結具の基板と押さえ板との間にアウターウェアの前身頃の側縁をバネ力をもって挟持させるようにしたので、インナーウェアを着用したときに、連結具によって、アウターウェアの左右前身頃が開くのを効果的に防止することがきる。また、連結具は、インナーウェアの装飾体である毛皮の下に隠れ加減に設けられるので、外部からは殆ど見えない位に目立たない。
【考案を実施するための最良の形態】
【０００９】
以下に、添付図を参照して、本考案インナーウェアの一実施形態を説明する。添付図において、図１は本考案連結具を備えたインナーウェアの一実施形態を示す正面図、図２は図１に示すインナーウェアの前身頃の側縁（前開き部）に設けた連結具の拡大正面図、図３は図２に示す連結具の上面図、図４は図１の４−４線に沿う拡大断面図、図５は図２〜図４に示す連結具の斜視図、図６は図１に示す本考案連結具を備えたインナーウェアの上に着用するアウターウェアの一例を示す正面図、図７は図１のインナーウェアを図６のアウターウェアの上に着用した状態を示す正面図である。
【００１０】
図１において、本考案連結具を備えたインナーウェアは、全体を参照符号１０で示す。このインナーウェア１０は、薄い生地や細かいメッシュ地などの生地による上衣状の本体部１１とその襟ぐり、前身頃の側縁、裾に連続した毛皮部１２とを備えている。
【００１１】
本体部１１は、後身頃、左右の前身頃、袖（スリーブ）をもつ前開きの形の形態のもので、薄手の生地や薄手のキルト中綿入り生地を縫製したもので形成されている。図１において、左右前身頃は参照符号１１ａ、後身頃は１１ｂ、両袖は１１ｃでそれぞれ示す。
【００１２】
毛皮部１２は、本体部１１の襟、裾、それに襟と裾との間にある前身頃１１ａの対向する側縁１３に縫い付けられている。毛皮部自体は、合成樹脂糸からなる模造毛皮（フェイク毛皮）、天然毛皮のいずれであってもよい。
【００１３】
本考案連結具を備えたインナーウェアは、例えば、図６に示すような長首セータ２１とベスト２２とを会社で着用し、勤務後にパーティなどに出かけるときなどに着用する。
【００１４】
アウターウェアであるベスト２２は、左右の前身頃２２ａと図に表れない後身頃で構成された一般的な前開きタイプで、左前身頃の側縁２３に縫い付けられたボタン２２ｂを右前身頃の側縁２３にあるボタンホール２２ｃにはめることによって、左右の前身頃１１ａの側縁２３を閉じることができる。
【００１５】
インナーウェア１０は、図７に示すように、長首セータ２１の上又はベスト２２の下に着用し、上に着たベスト２２の襟から裾にかけて毛皮部１２を露出させることにより、長首セータ２１及びベスト２２からなるスタイルを、パーティなどにマッチした毛皮で飾ったスタイルに変身させることができる。
【００１６】
このときに、ベスト２２などのアウターウェアの下に、インナーウェア１０を重ねて着用し、アウターウェア２２の左右の前身頃２２ａの側縁２３が着膨れや他の原因で開くおそれがある。
【００１７】
本考案インナーウェアでは、これを防ぐために、図１に示すように、本体部１１の左右の前身頃１１ａの左右の対向側縁１３に、連結具３０を左右に３個ずつ設けた。これらの連結具３０によりアウターウェア２２の左右前身頃２２ａの側縁２３をインナーウェア１０の左右前身頃１１ａの側縁１３と一体化して、アウターウェア（ベスト）２２の左右前身頃２２ａの対向側縁２３が開かないようしている。
【００１８】
各連結具３０は、インナーウェア１０の左右の前身頃１１ａの両対向側縁１３に沿って配置されている。例えば、本体部１１における左右の前身頃２２ａの側縁１３に沿い、かつ毛皮部１２の外側近傍に位置して、当該本体部１１に縫い付けられている。図２〜図５には、その連結具３０のうち、左前身頃１１ａの側縁１３にある連結具３０の一つのみを示してあるが、他の連結具３０も同じ構成のものである。右前身頃１１ａの側縁１３にある連結具３０も左右反転されているだけで、同じ構成のものが使用されている。以下に、本考案連結具３０の構造について説明する。
【００１９】
連結具３０は、インナーウェア１０の本体部１１ａを形成する右前身頃１１ａに縫い付けられる平板状の基板３１と、基板３１の一端、つまり、毛皮部１２を向いた端部に回転可能に取付けた（枢着した）押さえ板３２とを備えている。押さえ板３２は、図４に二点鎖線で示す開放位置と実線で示す閉じ位置とに回転することができる。
【００２０】
基板３１は正面形状が横向きの大略Ｔ字状をなしており、Ｔ字の頭を形成する部分には縫い付けのための固定孔３１ａが形成されている。Ｔ字の脚となる部分には開口３１ｂが形成されている。開口３１ｂの中央は舌状のスプリング部３１ｃに形成されている。スプリング部３１ｃは毛皮部１２に自由端をもち、反対端が基板３１と一体に形成されている。さらに、脚を形成する部分の両側は、直角に切り起こされ、板状の保持部３１ｄを軸受として形成している。両保持部３１ｄには軸受孔３１ｅが設けられ、保持部３１ｄの上縁３１ｆは軸受孔３１ｅを中心とする円弧状に形成されている。
【００２１】
押さえ板３２は、一端側が立壁状の受け部３２ａに形成されている。受け部３２ａは、ほぼ矩形をなす平板状のもので、両側から外方に向かって延びる軸部３２ｂが基板３１の保持部３１にある軸受孔３１ｅに嵌め込まれている。押さえ板３２における軸部３２ｂの上方両側には、外方に延びるガイド部３２ｃが形成されている。ガイド部３２ｃは、基板３１の保持部３１ｄにある円弧状の上縁３１ｆに接触しており、押さえ版３２が軸部３２ｂを中心に回転するときに円弧運動するように案内している。そして、押さえ板３２の立壁状受け部３２ａの下縁は、基板３１のスプリング部３１ｃに接触し、かつスプリング部３１ｃを押し下げて弾性を発生させている。
【００２２】
押さえ板３２における受け部３２ａの上縁には、その受け部３２ａよりも幅狭くかつ細長いアーム部３２ｄが一体に曲げ形成されている。アーム部３２ｄは、基板３１のＴ字の頭に向かって湾曲しており、先端に摘み部３２ｅを一体に形成されている。摘み部３２ｅは、アーム部３２ｄよりも幅広に形成され、下面が半球状に形成されている。
【００２３】
一方、基板３１の先端には、上向きに曲げたストップ部３１ｇが形成されている。ストップ部３１ｇは、アーム部３２ｄの幅と同じか、これよりも僅かに狭い凹状の隙間を形成している。押さえ板３２は、アーム部３２ｄと摘み部３２ｅとの間にある首部が基板３１のストップ部３１ｇの間に嵌め込まれ、かつ抜け出しを阻止されている。
【００２４】
連結具３０は、基板３１の固定孔３１ａと開口３１ｂの後端とをインナーウェア１０とを糸で縫い付けることによって、図１に示すようにインナーウェア１０における本体部１１の前身頃１１ａの側縁１３に沿って配置され、かつこれに縫合されている。
【００２５】
前述のようにして、本考案連結具を備えたインナーウェアをベスト２２の下に着用した後、連結具３０のアーム部３２ｄを開き、ベスト２１の前身頃２２ａの側縁をアーム部３２ｄと基板３１との間に配置した後、アーム部３２ｄを押し下げ、摘み部３２ｅをストップ部３１ｇに嵌め込むことによって、ベスト２２とインナーウェア１０とが一体化され、ベスト２２の左右の前見頃２２ａの対向側縁２３を開かないようにする。
【産業上の利用可能性】
【００２６】
本考案連結具を備えたインナーウェアは、上記のように、アウターウェア２２とインナーウェア１０とを両者の前身頃の側縁において一体化するので、アウターウェア２２の左右前身頃２２ａの側縁２３が開かず、毛皮部１２によるアウターウェア２２に対する装飾を確実なものにすることができ、着用者の趣向に合わせたスタイルを演出することができる。また、気温がかなり低くても、アウターウェア２２にインナーウェア１０を重ね着するので、十分な防寒性を得ることができる。
【００２７】
本考案連結具３０は、押さえ板３２の自由端の摘み部３２ｅを指で押し上げ、アウターウェア２２の左右前身頃２２ａの対向側縁２３を押さえ板３２と基板３１との間に入れ、摘み部３２ｅを指で押し下げるだけで前記対向側縁２３を挟持固定するから、手探りでも、アウターウェア２２をインナーウェア１０に簡単に連結することができる。
【００２８】
なお、以上説明した実施形態において、本体部１１はスリーブ（袖）をもつタイプであるが、ノースリーブの形態をもつものを提供し、アウターウェア２２に合わせて、スリーブ又はノースリーブのインナーウェア１０を着用するようにしてもよい。
【図面の簡単な説明】
【００２９】
【図１】本考案連結具を備えたインナーウェアの一実施形態を示す正面図。
【図２】図１に示すインナーウェアの前身頃の側縁（前開き部）に設けた連結具の拡大正面図。
【図３】図２に示す連結具の上面図。
【図４】図１の４−４線に沿う拡大断面図。
【図５】図２〜図４に示す連結具の斜視図。
【図６】図１に示す本考案連結具を備えたインナーウェアの上に着用するアウターウェアの一例を示す正面図。
【図７】図１のインナーウェアを図６のアウターウェアの上に着用した状態を示す正面図。
【符号の説明】
【００３０】
１０    インナーウェア
１１    本体部
１１ａ  前見頃
１１ｂ  後身頃
１１ｃ  袖
１２    毛皮部
１３    インナーウェアの前身頃側縁
２１    長首セータ
２２    アウターウェア（ベスト）
２２ａ  前身頃
２２ｂ  ボタン
２２ｃ  ボタンホール
２３    アウターウェアの前身頃側縁
３０    連結具
３１    基板
３１ａ  固定孔
３１ｂ  開口
３１ｃ  スプリング部
３１ｄ  保持部
３１ｅ  軸受孔
３１ｆ  保持部の円弧状上縁
３１ｇ  ストップ部
３２    押さえ板
３２ａ  受け部
３２ｂ  軸部
３２ｃ  ガイド部
３２ｄ  アーム部
３２ｅ  摘み部
【図１】
0003138939.tif 000003
【図２】
0003138939.tif 000004
【図３】
0003138939.tif 000005
【図４】
0003138939.tif 000006
【図５】
0003138939.tif 000007
【図６】
0003138939.tif 000008
【図７】
0003138939.tif 000009